(57)【特許請求の範囲】
【請求項１】
電気機器への入力電流を測定する入力電流測定手段と、電気機器への入力電圧を測定する入力電圧測定手段と、入力電流測定手段の測定結果と入力電圧測定手段の測定結果に基づいて電気機器で消費される電力量を演算する演算手段と、電気機器が使用される環境の指標となる物理量を測定する物理量測定手段と、数字や文字などを表示する表示手段と、演算手段で演算された電力量の計測値と当該電力量の計測期間に重なる期間に物理量測定手段で測定された物理量の測定値とを関連付けて表示手段に表示させる制御手段と、前記電力量計測値並びに前記物理量測定値を電気信号に変換して定期的に外部に出力する出力手段とを備え、入力電流測定手段並びに入力電圧測定手段、演算手段は、前記物理量測定値が予め設定される所定値若しくは所定範囲となったときに入力電流の測定及び入力電圧の測定、電力量の演算を実行することを特徴とする電力量計測装置。
【請求項２】
互いに異なる物理量を測定する複数種類の物理量測定手段を備え、制御手段は、これら複数種類の物理量測定手段で測定された各々の物理量の測定値と電力量の計測値とを関連付けて表示手段に表示させることを特徴とする請求項１記載の電力量計測装置。
【請求項３】
出力手段は、前記電力量計測値並びに前記複数種類の物理量測定値を電気信号に変換して外部に出力することを特徴とする請求項２記載の電力量計測装置。
【請求項４】
少なくとも演算手段と表示手段と制御手段と物理量測定手段を収納するハウジングを備えたことを特徴とする請求項１〜３の何れか１項に記載の電力量計測装置。
【請求項５】
少なくとも演算手段と表示手段と制御手段を収納する第１のハウジングと、物理量測定手段を収納する１乃至複数の第２のハウジングと、第１及び第２のハウジングにそれぞれ収納され無線媒体を介して前記物理量測定値を無線伝送する伝送手段とを備えたことを特徴とする請求項１〜３の何れか１項に記載の電力量計測装置。
【請求項６】
請求項１〜５の何れかに記載された１乃至複数の電力量計測装置と、当該電力量計測装置の出力手段から出力される前記電気信号を受信するとともに当該電気信号を逆変換して得られる前記電力量計測値並びに前記物理量測定値を表示する表示装置とからなり、
当該表示装置は、前記電力量計測値並びに前記物理量測定値の履歴をグラフ化して表示することを特徴とする電力量計測システム。
【発明の詳細な説明】
【技術分野】
【０００１】
本発明は、負荷機器で消費される電力量を計測する電力量計測装置並びに電力量計測システムに関するものである。
【背景技術】
【０００２】
近年、地球温暖化の主因とされる二酸化炭素の排出量を削減するため、電力を消費する電気機器毎に電力量を計測し、個々の電気機器で実際に消費されている電力量を容易に把握できるようにして省エネルギ（省電力）を図ることが行われている。そして、このような用途で使用される電力量計測装置として、特許文献１に記載されているものがある。
【先行技術文献】
【特許文献】
【０００３】
【特許文献１】実用新案登録第３１３２５８３号公報
【発明の概要】
【発明が解決しようとする課題】
【０００４】
ところで、電気機器で消費される電力量は、当該電気機器が使用される環境によって変化する。例えば、電気機器としてエアコンディショナ（空気調和機）を例に挙げると、エアコンディショナの設定温度が同じであっても気温が高いときほど消費する電力量が増えてしまう。あるいは、電気機器を照明器具とした場合、消費する電力量が同じであっても外光（太陽光）の影響が大きくなるほど照度が高くなり、必要な照度を大きく上回って無駄な電力が消費されてしまうこともある。
【０００５】
このように電気機器の消費電力量と使用環境（気温や明るさなど）には関連性があるので、使用環境を無視して計測された電力量のみで省エネルギの度合を判断することは正確性に欠け、省エネルギのための適切な処置が実行されない虞があった。
【０００６】
本発明は上記事情に鑑みて為されたものであり、その目的は、電気機器で消費される電力量と当該電気機器が使用される環境との関係を的確に知らせることができる電力量計測装置並びに電力量計測システムを提供することにある。
【課題を解決するための手段】
【０００７】
請求項１の発明は、上記目的を達成するために、電気機器への入力電流を測定する入力電流測定手段と、電気機器への入力電圧を測定する入力電圧測定手段と、入力電流測定手段の測定結果と入力電圧測定手段の測定結果に基づいて電気機器で消費される電力量を演算する演算手段と、電気機器が使用される環境の指標となる物理量を測定する物理量測定手段と、数字や文字などを表示する表示手段と、演算手段で演算された電力量の計測値と当該電力量の計測期間に重なる期間に物理量測定手段で測定された物理量の測定値とを関連付けて表示手段に表示させる制御手段と、前記電力量計測値並びに前記物理量測定値を電気信号に変換して定期的に外部に出力する出力手段とを備え、入力電流測定手段並びに入力電圧測定手段、演算手段は、前記物理量測定値が予め設定される所定値若しくは所定範囲となったときに入力電流の測定及び入力電圧の測定、電力量の演算を実行することを特徴とする。
【０００８】
請求項１の発明によれば、電気機器が使用される環境の指標となる物理量、例えば、使用環境の気温や湿度、照度などを物理量測定手段にて測定し、演算手段で演算された電力量の計測値と当該電力量の計測期間に重なる期間に物理量測定手段で測定された物理量の測定値とを関連付けて制御手段が表示手段に表示させるので、電気機器で消費される電力量と当該電気機器が使用される環境との関係を的確に知らせることが可能な電力量計測装置を提供できる。また、電力量計測値並びに物理量測定値を遠隔から監視することができるとともに、電力量計測値並びに物理量測定値のデータ管理が容易に行え、さらに、入力電流測定手段並びに入力電圧測定手段、演算手段における電力消費を減らして省電力化が図れる電力量計測装置が提供できる。
【００１７】
請求項２の発明は、請求項１の発明において、互いに異なる物理量を測定する複数種類の物理量測定手段を備え、制御手段は、これら複数種類の物理量測定手段で測定された各々の物理量の測定値と電力量の計測値とを関連付けて表示手段に表示させることを特徴とする。
【００１８】
請求項３の発明は、請求項２の発明において、出力手段は、前記電力量計測値並びに前記複数種類の物理量測定値を電気信号に変換して外部に出力することを特徴とする。
【００１９】
請求項３の発明によれば、電力量計測値並びに複数種類の物理量測定値を遠隔から監視することができる。
【００２０】
請求項４の発明は、請求項１〜３の何れか１項の発明において、少なくとも演算手段と表示手段と制御手段と物理量測定手段を収納するハウジングを備えたことを特徴とする。
【００２１】
請求項４の発明によれば、施工性が向上する。
【００２２】
請求項５の発明は、請求項１〜３の何れか１項の発明において、少なくとも演算手段と表示手段と制御手段を収納する第１のハウジングと、物理量測定手段を収納する１乃至複数の第２のハウジングと、第１及び第２のハウジングにそれぞれ収納され無線媒体を介して前記物理量測定値を無線伝送する伝送手段とを備えたことを特徴とする。
【００２３】
請求項５の発明によれば、物理量測定手段を物理量の測定に適した場所に設置することができる。
【００２４】
請求項６の発明は、上記目的を達成するために、請求項１〜５の何れかに記載された１乃至複数の電力量計測装置と、当該電力量計測装置の出力手段から出力される前記電気信号を受信するとともに当該電気信号を逆変換して得られる前記電力量計測値並びに前記物理量測定値を表示する表示装置とからなり、当該表示装置は、前記電力量計測値並びに前記物理量測定値の履歴をグラフ化して表示することを特徴とする。
【００２５】
請求項６の発明によれば、電気機器で消費される電力量と当該電気機器が使用される環境との関係を的確に知らせることが可能な電力量計測システムが提供できるとともに、電気機器の消費電力量と環境（物理量）との関連性が容易に把握できる。
【発明の効果】
【００２６】
本発明によれば、電気機器で消費される電力量と当該電気機器が使用される環境との関係を的確に知らせることが可能な電力量計測装置並びに電力計測システムが提供できる。
【図面の簡単な説明】
【００２７】
【図１】本発明に係る電力量計測装置の実施形態１を示すブロック図である。
【図２】同上の外観斜視図である。
【図３】本発明に係る電力量計測システムの実施形態１を示すシステム構成図である。
【図４】同上の説明図である。
【図５】本発明に係る電力量計測装置の実施形態２を示すブロック図である。
【図６】同上の外観斜視図である。
【図７】本発明に係る電力量計測システムの実施形態２を示すシステム構成図である。
【発明を実施するための形態】
【００２８】
以下、電気機器として照明器具とエアコンディショナ（以下、「エアコン」と略す。）を例示して本発明の実施形態を詳細に説明する。
【００２９】
（実施形態１）
本実施形態の電力量計測システムは、図３に示すように商用交流電源ＡＣから電源線Ｌｐ１を介して給電される照明器具（電気機器）Ｍ１の消費電力量（以下、電力量と略す。）を計測する電力量計測装置ＰＭ１と、同じく商用交流電源ＡＣから電源線Ｌｐ２を介して給電されるエアコン（電気機器）Ｍ２の消費電力量（以下、電力量と略す。）を計測する電力量計測装置ＰＭ２と、これら２台の電力量計測装置ＰＭ１，ＰＭ２と通信線Ｌｓを介してデータ通信を行うパーソナル・コンピュータ（以下、パソコンと略す。）ＰＣとで構成される。
【００３０】
２台の電力量計測装置ＰＭ１，ＰＭ２は共通の構成を有するものであって、図１に示すように制御部１、電圧入力部２、電流入力部３、表示部４、出力部５、通信部６、温度センサ７、照度センサ８、流量センサ９、電源部１０を備えている。但し、必ずしも温度センサ７、照度センサ８、流量センサ９の全てを備える必要はなく、３種類のセンサの少なくとも何れか１つを備えていればよい。
【００３１】
電圧入力部２は、商用交流電源ＡＣから電源線Ｌｐ１又はＬｐ２を介して電気機器（照明器具Ｍ１若しくはエアコンＭ２）に印加される交流電圧を所定レベルまで降圧して制御部１に出力している。また電流入力部３は、電源線Ｌｐ１又はＬｐ２に流れる交流電流（入力電流）を電流センサＣＴによって検出し、電流トランスの２次電流を電圧信号に変換して制御部１に出力している。尚、このような電圧入力部２並びに電流入力部３については従来周知であるから詳細な構成についての図示並びに説明は省略する。
【００３２】
温度センサ７は、サーミスタや熱電対などを利用して雰囲気温度（気温）を検出し、その検出値（電圧信号）を制御部１に出力している。照度センサ８は、太陽電池やホトトランジスタなどを利用して、照明器具Ｍ１によって照明される空間（照明空間）の照度を検出し、その検出値（電圧信号）を制御部１に出力している。流量センサ９は、ＭＥＭＳによって製造されるセンサチップを有し、流れのない状態では、センサチップに設けられているヒータを中心とした温度分布が左右対称となり、流れを受けた状態では、ヒータの風上側の温度が低く、風下側が高くなり、温度平衡状態が崩れるため、この温度差をサーモパイルの起電力差としてセンシングすることで流量を検出し、その検出値（電圧信号）を制御部１に出力している。但し、このような温度センサ７、照度センサ８、流量センサ９については従来周知であるから詳細な構成並びに動作の図示並びに説明は省略する。
【００３３】
表示部４は、液晶表示器（ＬＣＤ）と液晶表示器の駆動回路を有し、後述するように制御部１からの指示に基づいて電気機器（照明器具Ｍ１又はエアコンＭ２）の電力量と温度（気温）、照度、流量の少なくとも何れか１種類の物理量とを液晶表示器に表示するものである。出力部５は、後述するように制御部１で演算された電力量や各種センサ７〜９の検出値をパルス信号として出力するものである。通信部６は、汎用のシリアル通信（例えば、ＲＳ４８５）により、信号線Ｌｓを介してパソコンＰＣとデータ通信するものである。電源部１０は、商用交流電源ＡＣから供給される交流電圧を直流電圧に変換して各部１〜９の動作電源を作成している。尚、このような表示部４、出力部５、通信部６、電源部１０は従来周知であるから詳細な構成についての図示並びに説明は省略する。
【００３４】
制御部１はＣＰＵやメモリ、Ａ／Ｄ変換器などを有し、メモリに記憶しているプログラムをＣＰＵで実行することにより、電圧入力部２から受け取る入力電圧値と電流入力部３から受け取る入力電流値とに基づいて電気機器（照明器具Ｍ１又はエアコンＭ２）の電力量を演算する電力量演算処理、温度センサ７、照度センサ８、流量センサ９から受け取る検出値（電圧信号）を温度、照度、流量にそれぞれ換算する物理量計測処理、電力量演算処理で求めた電力量や物理量計測処理で求めた物理量（温度や照度や流量）を表示部４に表示させる表示処理、前記電力量や物理量を出力部５からパルス信号として出力させるパルス信号出力処理、通信部６によりパソコンＰＣとの間でデータ通信を行って前記電力量や物理量などを伝送するデータ通信処理などを行うものである。
【００３５】
図２に電力量計測装置ＰＭ１，ＰＭ２の外観図を示す。電力量計測装置ＰＭ１，ＰＭ２のハウジング３０は左右方向から見た側面形状が略凸字形の合成樹脂成形品からなり、プリント配線板に種々の電子部品を実装してなる各部１〜１０を内部に収納している。ハウジング３０の中央突台部３１前面には表示部４の表示面（液晶表示器の表示面）４ａが露出しており、中央突台部３１の上側に位置する上側台部３２には出力部５や通信部６の信号端子（図示せず）が露設され、中央突台部３１の下側に位置する下側台部３３には電圧入力部２や電流入力部３、電源部１０の入力端子（図示せず）が露設されている。
【００３６】
ここで、制御部１の表示処理では、電力量演算処理で演算された電力量（単位はキロワット時［kWh］）と当該電力量の計測期間に重なる期間に温度センサ７や照度センサ８あるいは流量センサ９で検出（測定）された物理量（温度，照度，流量）とを関連付けて（縦方向に並べて）表示部４に表示させている。例えば、エアコンＭ２の電力量を計測している電力量計測装置ＰＭ２においては、図２に示すように表示部４の表示面４ａに同じ期間に計測並びに測定された電力量と温度（気温）が縦方向に並べて同時に表示される。従って、表示部４の表示面４ａを見れば、気温とエアコンＭ２の電力量との関連を一目で確認することができる。但し、図示例では気温のみを電力量と同時に表示しているが、気温と流量を電力量と同時に表示しても良いし、照明器具Ｍ１の電力量を計測する電力量計測装置ＰＭ２においては、電力量と照度のみならず、電力量と照度並びに気温を縦方向に並べて表示部４の表示面４ａに表示しても構わない。
【００３７】
また、制御部１がパルス信号出力処理を実行して出力部５からパルス信号を出力すれば、図示しないカウンタで前記パルス信号のパルス数をカウントし、当該カウント値を電力量や物理量（温度、照度、流量）に換算し、換算した数値を表示させることで遠隔から電力量や物理量を監視することができる。ここで、制御部１が出力部５から定期的にパルス信号を出力すれば、電力量並びに物理量のデータ管理が外部で容易に行えるという利点がある。あるいは、物理量が予め設定される所定値若しくは所定範囲となったとき、例えば、温度センサ７で検出する温度（気温）が２６℃以上であるときに電力量計測装置ＰＭ２が電力量と温度に対応するパルス信号を出力部５から出力してもよい。さらに、電力量が予め設定される所定値若しくは所定範囲となったときに電力量計測装置ＰＭ１，ＰＭ２が電力量と物理量（温度、照度、流量）に対応するパルス信号を出力部５から出力しても構わない。
【００３８】
ここで、エアコンＭ２は気温が常温よりも高温又は低温になったときに冷房運転あるいは暖房運転されるものであるから、冷房や暖房が不要な気温のときには電力量の計測も不要である。そこで、電力量計測装置ＰＭ２の制御部１では、温度センサ７で検出する温度（気温）が所定値（例えば、３０℃以上若しくは１０℃未満）となったときに電圧入力部２、電流入力部３を動作させて電力量演算処理を実行し、エアコンＭ２を運転しない状況（例えば、気温が１０℃以上且つ３０℃未満の範囲）であるときには電圧入力部２及び電流入力部３を動作させず且つ電力量演算処理も実行しないことにより、電力量計測装置ＰＭ２の電力消費を減らして省電力化を図ることができる。
【００３９】
ところで、本実施形態の電力量計測システムでは、個々の電力量計測装置ＰＭ１，ＰＭ２で計測した電気機器（照明器具Ｍ１並びにエアコンＭ２）の電力量を信号線Ｌｓを介してパソコンＰＣに伝送することができる。そして、パソコンＰＣにインストールされているデータ処理用のソフトウェアを使用すれば、各電力量計測装置ＰＭ１，ＰＭ２から受け取った電力量と物理量（温度、照度、流量）の履歴をグラフ化してモニタに表示することができる。例えば、図４に示すように電力量を棒グラフ（図４における実線イ参照）で表示するとともに温度を折れ線グラフ（図４における実線ロ参照）で表示すれば、気温とエアコンＭ２の電力量との関連を容易に把握することが可能となる。
【００４０】
上述のように本実施形態によれば、電気機器（照明器具Ｍ１やエアコンＭ２など）が使用される環境の指標となる物理量、例えば、使用環境の気温や照度、流量などを物理量測定手段（温度センサ７、照度センサ８、流量センサ９など）にて測定し、演算手段（制御部１）で演算された電力量の計測値と当該電力量の計測期間に重なる期間に物理量測定手段で測定された物理量の測定値（温度、照度、流量など）とを関連付けて制御手段たる制御部１が表示手段（表示部４）に表示させるので、電気機器で消費される電力量と当該電気機器が使用される環境との関係を的確に知らせることが可能となる。
【００４１】
（実施形態２）
本実施形態は、図７に示すように電力量計測装置が親機ＰＭ１’，ＰＭ２’とセンサ子機ＰＳ１，ＰＳ２，ＰＳ３とで構成されている点に特徴がある。
【００４２】
電力量計測装置の親機ＰＭ１’，ＰＭ２’は、図５に示すように実施形態１における電力量計測装置ＰＭ１，ＰＭ２の温度センサ７、照度センサ８、流量センサ９に代えて無線通信部１１を備えている。但し、制御部１、電圧入力部２、電流入力部３、表示部４、出力部５、通信部６、電源部１０については実施形態１における電力量計測装置ＰＭ１，ＰＭ２と共通であるから詳細な説明は省略する。
【００４３】
無線通信部１１は、電波を無線媒体としたデータ通信を行うものであって、例えば、電波法施行規則第６条第４項第４号に規定される「小電力データ通信システムの無線局」に準拠して電波を媒体とする無線信号を送受信するものである。但し、無線通信部１１の詳細な構成については従来周知であるから図示並びに説明は省略する。
【００４４】
センサ子機ＰＳ１，ＰＳ２，ＰＳ３は、図５に示すように制御部２０、無線通信部２１、温度センサ２２、照度センサ２３、流量センサ２４、表示部２５、電池電源部２６を備えている。但し、必ずしも温度センサ２２、照度センサ２３、流量センサ２４の全てを備える必要はなく、３種類のセンサの少なくとも何れか１つを備えていればよい。また、温度センサ２２、照度センサ２３、流量センサ２４は何れも実施形態１における温度センサ７、照度センサ８、流量センサ９と同一のものであるから説明は省略する。
【００４５】
無線通信部２１は、親機ＰＭ１’，ＰＭ２’の無線通信部１１と同様に電波を無線媒体としたデータ通信を行うものであって、例えば、電波法施行規則第６条第４項第４号に規定される「小電力データ通信システムの無線局」に準拠して電波を媒体とする無線信号を送受信するものである。但し、無線通信部２１の詳細な構成については従来周知であるから図示並びに説明は省略する。
【００４６】
表示部２５は、液晶表示器（ＬＣＤ）と液晶表示器の駆動回路を有し、後述するように制御部２０からの指示に基づいて温度センサ２２で検出する温度（気温）、照度センサ２３で検出する照度、流量センサ２４で検出する流量の少なくとも何れか１種類の物理量を液晶表示器に表示するものである。電池電源部２６は、一次電池あるいは二次電池から供給される直流電圧を安定化して各部２０〜２５に動作電源を供給している。尚、このような表示部２５並びに電池電源部２６は従来周知であるから詳細な構成についての図示並びに説明は省略する。
【００４７】
制御部２０はＣＰＵやメモリ、Ａ／Ｄ変換器などを有し、メモリに記憶しているプログラムをＣＰＵで実行することにより、温度センサ２２、照度センサ２３、流量センサ２４から受け取る検出値（電圧信号）を温度、照度、流量にそれぞれ換算する物理量計測処理、物理量計測処理で求めた物理量（温度や照度や流量）を表示部２５に表示させる表示処理、前記物理量を無線通信部２１により無線信号で親機ＰＭ１’，ＰＭ２’に送信するデータ通信処理などを行うものである。
【００４８】
図６にセンサ子機ＰＳ１，ＰＳ２，ＰＳ３の外観図を示す。センサ子機ＰＳｍ（ｍ＝１，２，３）のハウジング（第２のハウジング）４０は扁平な矩形箱形の合成樹脂成形品からなり、プリント配線板に種々の電子部品を実装してなる各部２０〜２６を内部に収納している。ハウジング４０の前面には表示部２５の表示面（液晶表示器の表示面）２５ａが露出している。
【００４９】
ここで、制御部２０の表示処理では、温度センサ２２や照度センサ２３あるいは流量センサ２４で検出（測定）された物理量（温度，照度，流量）のうち、例えば、図６に示すように温度と照度を表示部２５の表示面２５ａに縦方向に並べて同時に表示している。
【００５０】
次に本実施形態の動作を説明する。
【００５１】
親機ＰＭ１’，ＰＭ２’の制御部１は、電力量演算処理を実行しつつ無線通信部１１による無線通信を利用してセンサ子機ＰＳｍが検出した物理量（温度、照度、流量）のデータを各センサ子機ＰＳｍから収集する。ここで、各センサ子機ＰＳｍが送信するデータには、物理量の検出値だけでなく当該検出値を検出した時刻（タイムスタンプ）が含まれている。よって、制御部１の表示処理では、電力量演算処理で演算された電力量（単位はキロワット時［kWh］）と当該電力量の計測期間とタイムスタンプが重なるデータの物理量（温度，照度，流量）とを関連付けて（縦方向に並べて）表示部４に表示させる。ここで、親機ＰＭ１’，ＰＭ２’の制御部１が各センサ子機ＰＳｍから定期的に物理量のデータを取得してもよいし、電力量が予め設定される所定値若しくは所定範囲となったときに各センサ子機ＰＳｍから物理量のデータを取得しても構わない。あるいは、物理量が予め設定される所定値若しくは所定範囲となったとき、例えば、温度センサ２２で検出する温度（気温）が２６℃以上であるときにセンサ子機ＰＳｍの制御部２０が物理量のデータを無線通信で親機ＰＭ１’，ＰＭ２’に伝送するようにしてもよい。
【００５２】
ここで、エアコンＭ２は気温が常温よりも高温又は低温になったときに冷房運転あるいは暖房運転されるものであるから、冷房や暖房が不要な気温のときには電力量の計測も不要である。そこで、親機ＰＭ２’の制御部１では、温度センサ２２から無線通信で受け取る温度（気温）のデータが所定値（例えば、３０℃以上若しくは１０℃未満）となったときに電圧入力部２、電流入力部３を動作させて電力量演算処理を実行し、温度センサ２２から無線通信で受け取る温度（気温）のデータが所定値以外であるときには電圧入力部２及び電流入力部３を動作させず且つ電力量演算処理も実行しないことにより、親機ＰＭ２’の電力消費を減らして省電力化を図ることができる。
【００５３】
上述のように本実施形態によれば、電気機器（照明器具Ｍ１やエアコンＭ２など）の電力量を計測する親機ＰＭ１’，ＰＭ２’と、電気機器が使用される環境の指標となる物理量、例えば、使用環境の気温や照度、流量などを測定する物理量測定手段（温度センサ２２、照度センサ２３、流量センサ２４など）を備えたセンサ子機ＰＳｍとで電力量計測装置を構成し、センサ子機ＰＳｍで測定した物理量を無線通信で親機ＰＭ１‘，ＰＭ２’に伝送しているので、物理量測定手段（温度センサ２２、照度センサ２３、流量センサ２４など）をそれぞれの物理量の測定に適した場所に容易に設置することができるという利点がある。
【００５４】
尚、実施形態１，２では電気機器が使用される環境の指標となる物理量として温度（気温）、照度、流量を例示したが、これらに限定する趣旨ではなく、電気機器の種類に応じたその他の物理量、例えば、湿度や二酸化炭素濃度などの物理量を計測しても構わない。
【符号の説明】
【００５５】
ＰＭ１，ＰＭ２  電力量計測装置
１  制御部（演算手段，制御手段）
２  電圧入力部（入力電圧測定手段）
３  電流入力部（入力電流測定手段）
４  表示部（表示手段）
７  温度センサ（物理量測定手段）
８  照度センサ（物理量測定手段）
９  流量センサ（物理量測定手段）
【図１】
0005421702.tif 000002
【図２】
0005421702.tif 000003
【図３】
0005421702.tif 000004
【図４】
0005421702.tif 000005
【図５】
0005421702.tif 000006
【図６】
0005421702.tif 000007
【図７】
0005421702.tif 000008